【手続補正書】
【提出日】平成15年12月1日(2003.12.1)
【手続補正１】
【補正対象書類名】明細書
【補正対象項目名】発明の名称
【補正方法】変更
【補正の内容】
【発明の名称】データ通信システム及びデータ通信装置並びにプリンタ
【手続補正２】
【補正対象書類名】明細書
【補正対象項目名】特許請求の範囲
【補正方法】変更
【補正の内容】
【特許請求の範囲】
【請求項１】
複数の装置間でデータの送受信を行うデータ通信システムにおいて、第１の装置から第２の装置に電力を供給する電源供給手段と、該電源供給手段により供給される電力により前記第２の装置の状態を検知する検知手段と、該検知手段により検知された状態を示す状態情報を第１の装置へ送信する送信手段と、該送信手段により送信された状態情報を記憶する記憶手段とを備え、前記第１の装置が記憶手段に記憶された状態情報を出力するようにしたことを特徴とするデータ通信システム。
【請求項２】
電源供給手段により供給される電力を分割供給する分割手段と、該分割手段により分割された電力を順次切り換えて各部の電源を立ち上げるための切換手段とを有し、検知手段は前記切換手段により電源を立ち上げた順に装置内の状態を検知することを特徴とする請求項１記載のデータ通信システム。
【請求項３】
第１の装置からの要求信号によって第２の装置の外部電源を立ち上げる電源コントロール部を備えていることを特徴とする請求項１または２記載のデータ通信システム。
【請求項４】
前記電源供給手段はＩＥＥＥ１３９４規格またはＵＳＢ規格に従ったものであることを特徴とする請求項１記載のデータ通信システム。
【請求項５】
前記送信手段はＩＥＥＥ１３９４規格またはＵＳＢ規格に従い前記状態情報を送信することを特徴とする請求項１または４記載のデータ通信システム。
【請求項６】
外部装置とデータ通信を行うデータ通信装置において、外部装置に電力を出力する電源供給手段と、該電源供給手段により出力された電力により検知される外部装置の状態情報を記憶する記憶手段と、該記憶手段に記憶された状態情報に従って表示を行う表示手段とを備えたことを特徴とするデータ通信装置。
【請求項７】
前記電源供給手段はＩＥＥＥ１３９４規格またはＵＳＢ規格に従ったものであることを特徴とする請求項６記載のデータ通信装置。
【請求項８】
外部装置とデータ通信を行うデータ通信装置において、外部装置から供給された電力を受給する電源受給手段と、該電源受給手段により受給された電力により前記データ通信装置の状態を検知する検知手段と、該検知手段により検知された状態を示す状態情報を前記外部装置に送信する送信手段とを備えたことを特徴とするデータ通信装置。
【請求項９】
前記送信手段はＩＥＥＥ１３９４規格またはＵＳＢ規格に従い前記状態情報を送信することを特徴とする請求項８記載のデータ通信装置。
【請求項１０】
前記電源受給手段により受給された電力を分割供給する分割手段と、該分割手段により分割された電力を順次切り換えて各部の電源を立ち上げるための切換手段とを有し、検知手段は前記切換手段により電源を立ち上げた順に装置内の状態を検知することを特徴とする請求項８記載のデータ通信装置。
【請求項１１】
外部装置からの要求信号によって外部電源を立ち上げる電源コントロール部を備えていることを特徴とする請求項８ないし１０何れか記載のデータ通信装置。
【請求項１２】
プリンタを含む複数の装置間でデータの送受信を行うデータ通信システムにおいて、
第１の装置から前記プリンタに電力を供給する電力供給手段と、
前記電力供給手段により供給される電力により前記プリンタの複数の状態を検知する検知手段と、
前記検知手段により検知される複数の状態のうちのいずれかを示す状態情報を第１の装置へ送信する送信手段と、
前記送信手段により送信された状態情報を記憶する記憶手段と、
記憶手段に記憶された状態情報を出力する出力手段とを備えることを特徴とするデータ通信システム。
【請求項１３】
プリンタとデータ通信を行うデータ通信装置において、
前記プリンタに電力を出力する電源供給手段と、
前記電源供給手段により出力された電力により検知される前記プリンタの複数の状態のうちのいずれかを示す状態情報を記憶する記憶手段と、
前記記憶手段に記憶された状態情報に従って表示を行う表示手段とを備えたことを特徴とするデータ通信装置。
【請求項１４】
外部装置とデータ通信を行うプリンタにおいて、
前記外部装置から供給される電力を受給する電源受給手段と、
前記電源受給手段により受給された電力により前記プリンタの複数の状態を検知する検知手段と、
前記検知手段により検知される複数の状態のうちのいずれかを示す状態情報を前記外部装置に送信する送信手段とを備えたことを特徴とするプリンタ。
【手続補正３】
【補正対象書類名】明細書
【補正対象項目名】０００１
【補正方法】変更
【補正の内容】
【０００１】
【発明の属する技術分野】
本発明は、複数の装置間でデータの送受信を行うデータ通信システム及びデータ通信装置並びにプリンタに関するものである。


【手続補正４】
【補正対象書類名】明細書
【補正対象項目名】０００８
【補正方法】変更
【補正の内容】
【０００８】
本発明は、上記のような問題点に着目してなされたもので、相手側の電源を投入することなくその装置の状態を知ることができ、利便性が向上したデータ通信システム及びデータ通信装置並びにプリンタを提供することを目的としている。


【手続補正５】
【補正対象書類名】明細書
【補正対象項目名】０００９
【補正方法】変更
【補正の内容】
【０００９】
【課題を解決するための手段】
本発明に係るデータ通信システム及びデータ通信装置並びにプリンタは、次のように構成したものである。


【手続補正６】
【補正対象書類名】明細書
【補正対象項目名】００１０
【補正方法】変更
【補正の内容】
【００１０】
（１）複数の装置間でデータの送受信を行うデータ通信システムにおいて、第１の装置から第２の装置に電力を供給する電源供給手段と、該電源供給手段により供給される電力により前記第２の装置の状態を検知する検知手段と、該検知手段により検知された状態を示す状態情報を第１の装置へ送信する送信手段と、該送信手段により送信された状態情報を記憶する記憶手段とを備え、前記第１の装置が記憶手段に記憶された状態情報を出力するようにした。


【手続補正７】
【補正対象書類名】明細書
【補正対象項目名】００１１
【補正方法】変更
【補正の内容】
【００１１】
（２）上記（１）のシステムにおいて、電源供給手段により供給される電力を分割供給する分割手段と、該分割手段により分割された電力を順次切り換えて各部の電源を立ち上げるための切換手段とを有し、検知手段は前記切換手段により電源を立ち上げた順に装置内の状態を検知するようにした。


【手続補正８】
【補正対象書類名】明細書
【補正対象項目名】００１２
【補正方法】変更
【補正の内容】
【００１２】
（３）上記（１）または（２）のシステムにおいて、第１の装置からの要求信号によって第２の装置の外部電源を立ち上げる電源コントロール部を備えているようにした。


【手続補正９】
【補正対象書類名】明細書
【補正対象項目名】００１５
【補正方法】変更
【補正の内容】
【００１５】
（６）外部装置とデータ通信を行うデータ通信装置において、外部装置に電力を出力する電源供給手段と、該電源供給手段により出力された電力により検知される外部装置の状態情報を記憶する記憶手段と、該記憶手段に記憶された状態情報に従って表示を行う表示手段とを備えた。


【手続補正１０】
【補正対象書類名】明細書
【補正対象項目名】００１６
【補正方法】変更
【補正の内容】
【００１６】
（７）上記（６）の装置において、前記電源供給手段はＩＥＥＥ１３９４規格またはＵＳＢ規格に従ったものとした。
【手続補正１１】
【補正対象書類名】明細書
【補正対象項目名】００１７
【補正方法】変更
【補正の内容】
【００１７】
（８）外部装置とデータ通信を行うデータ通信装置において、外部装置から供給された電力を受給する電源受給手段と、該電源受給手段により受給された電力により前記データ通信装置の状態を検知する検知手段と、該検知手段により検知された状態を示す状態情報を前記外部装置に送信する送信手段とを備えた。


【手続補正１２】
【補正対象書類名】明細書
【補正対象項目名】００１８
【補正方法】変更
【補正の内容】
【００１８】
（９）上記（８）の装置において、前記送信手段はＩＥＥＥ１３９４規格またはＵＳＢ規格に従い前記状態情報を送信するようにした。
【手続補正１３】
【補正対象書類名】明細書
【補正対象項目名】００１９
【補正方法】変更
【補正の内容】
【００１９】
（１０）上記（８）の装置において、前記電源受給手段により受給された電力を分割供給する分割手段と、該分割手段により分割された電力を順次切り換えて各部の電源を立ち上げるための切換手段とを有し、検知手段は前記切換手段により電源を立ち上げた順に装置内の状態を検知するようにした。


【手続補正１４】
【補正対象書類名】明細書
【補正対象項目名】００２０
【補正方法】変更
【補正の内容】
【００２０】
（１１）上記（８）ないし（１０）何れかの装置において、外部装置からの要求信号によって外部電源を立ち上げる電源コントロール部を備えているようにした。
【手続補正１５】
【補正対象書類名】明細書
【補正対象項目名】００２１
【補正方法】変更
【補正の内容】
【００２１】
（１２）プリンタを含む複数の装置間でデータの送受信を行うデータ通信システムにおいて、
第１の装置から前記プリンタに電力を供給する電力供給手段と、
前記電力供給手段により供給される電力により前記プリンタの複数の状態を検知する検知手段と、
前記検知手段により検知される複数の状態のうちのいずれかを示す状態情報を第１の装置へ送信する送信手段と、
前記送信手段により送信された状態情報を記憶する記憶手段と、
記憶手段に記憶された状態情報を出力する出力手段とを備えるようにした。
【手続補正１６】
【補正対象書類名】明細書
【補正対象項目名】００２２
【補正方法】変更
【補正の内容】
【００２２】
（１３）プリンタとデータ通信を行うデータ通信装置において、
前記プリンタに電力を出力する電源供給手段と、
前記電源供給手段により出力された電力により検知される前記プリンタの複数の状態のうちのいずれかを示す状態情報を記憶する記憶手段と、
前記記憶手段に記憶された状態情報に従って表示を行う表示手段とを備えた。
【手続補正１７】
【補正対象書類名】明細書
【補正対象項目名】００２３
【補正方法】変更
【補正の内容】
【００２３】
（１４）外部装置とデータ通信を行うプリンタにおいて、
前記外部装置から供給される電力を受給する電源受給手段と、
前記電源受給手段により受給された電力により前記プリンタの複数の状態を検知する検知手段と、
前記検知手段により検知される複数の状態のうちのいずれかを示す状態情報を前記外部装置に送信する送信手段とを備えた。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】